(57)【要約】【課題】本考案は、厚さ、奥行き寸法は同一にあって、長さ寸法の異なる複数種の装飾性板材のフラッシュパネルを、自由に積み重ねて構成されている創作的組立家具を提供しようとするものである。【解決手段】限定された範囲内の厚さのフラッシュパネルにおいて、奥行きで同一にあって、長さ寸法の異なる複数種を自由に積み重ね、フラッシュパネルは側面に意匠性の無垢板を貼り合わせて、上面、および底面には木製板、樹脂板、あるいはＵＶ塗装した合板を使用し、長さは２〜５種類からなり、寸法として長さ、奥行きは範囲を限定し、フラッシュパネルの複数枚の積み重ねは、長尺のものを上段、下段にして、中間部に２〜５箇所に、狭幅のものを１〜５段に組み立てる創作的組立棚の提供。【選択図】        図４
0003133038.tif 000002
【実用新案登録請求の範囲】
【請求項１】
奥行き寸法は同一にあって、長さ寸法の異なる複数種の厚さ５０〜１５０ｍｍのフラッシュパネルを、自由に積み重ねて構成されていることを特徴とする創作的組立家具。
【請求項２】
請求項１において、フラッシュパネルは側面に意匠性の無垢板を貼り合わせて、上面、および底面には木製板、あるいは樹脂板、あるいはＵＶ塗装した合板を使用していることを特徴とする創作的組立家具。
【請求項３】
請求項１において、奥行き寸法は同一にあり、長さ寸法の異なる複数種のフラッシュパネルは２〜５種類からなり、寸法として１５０〜２５００ｍｍ、奥行き３００〜５００ｍｍの範囲にあることを特徴とする創作的組立家具。
【請求項４】
請求項１において、フラッシュパネルの複数枚の積み重ねは、長尺のものを上段、下段にして、中間部に２〜５箇所、狭幅のものを１〜５段に組み立てることを特徴とする創作的組立家具。
【考案の詳細な説明】
【技術分野】
【０００１】
本考案は、上下多段に家電等を載置できるようにした組立式の家電、書籍の収納棚に関するものである。側面木口部に意匠性の無垢板を貼り合わせて、厚みのあるフラッシュパネルの側面に意匠性の無垢板を貼り合わせて、上面、および底面には木製板、樹脂板、あるいは、ＵＶ塗装した合板を使用し、このフラッシュパネル複数枚を積み重ね、その中で長尺のものを上段、下段に、短尺のものは中間部に位置して自由に積み重ねて構成されることを特徴とする創作的組立家具に関するものである。
【背景技術】
【０００２】
従来の組立式家電、書籍収納棚は、通常、木や合成樹脂等で作成されており、縦長形状とした二枚の側板間の上部に天板を、下部に底板をネジ止めして取り付け、これら天板と底板間に複数の家電、書籍棚を水平方向に渡し、複数の収納空間を形成したものが存在する。
従来の組立式収納家具の技術は下記のようなものになっている。
相対する二枚の側板の上部に金具を取り付け、下部に凹凸を設け、両側板の中間部に水平に棚を取り付けた構成のものを箱積みする事で、複数の収納空間を形成したものが存在する。（特許文献１参照）
【０００３】
２枚以上の平面、平行、直方形の部材からなり、複数の４側面の空間をもたせ、各部材の面内に４側面の空間が網目状に配置されるパネルとフレームをくさび式にはめ込んで構成されるものが存在する。（特許文献２参照）
【０００４】
支柱の下部に配置された側板の各上端に載置された天板とを棚において、支柱部の内面に多数のフックを設け、それらに係合可能な突片を持つ棚を置く事で形成されるものが存在する。（特許文献３参照）
【特許文献１】特開平６−７７５６８
【特許文献２】特表平１０−５１２４６４
【特許文献３】特開平８−６６２５２
【考案の開示】
【考案が解決しようとする課題】
【０００５】
従来の技術で述べたものにあたっては、下記のような問題点を有していた。
数枚の天板、棚等を側板で挟みこみ、金具で固定。または、側面部材の上部、下部の凹凸を利用し接合し収納空間を設けているため、多種多様な展開ができず自由に積み重ねて構成されることを特徴とする家具を提供することはできなかった。
本考案は、従来の問題が有するこのような問題点に鑑みなされたものであり、その目的とするところは、次のようなことのできるものを提供しようとするものである。
奥行き寸法は同一にあって、長さ寸法の異なる複数種の板材側面に意匠性の無垢板を貼り合わせて、上面、および底面には木製板、あるいは樹脂板、あるいはＵＶ塗装したフラッシュパネルを、自由に積み重ねて構成された創作的組立家具を提供する。
【課題を解決するための手段】
【０００６】
厚さ５０〜１５０ｍｍのフラッシュパネルにおいて、奥行きで同一にあって、長さ寸法の異なる複数種を自由に積み重ねている創作的組立棚である。
フラッシュパネルは側面に意匠性の無垢板を貼り合わせて、上面、および底面には木製板、あるいは樹脂板、あるいはＵＶ塗装した合板を使用している。奥行きで同一にあって、長さ寸法の異なる複数種のフラッシュパネルは長さで２〜５種類からなり、寸法として長さ１５０〜２５００ｍｍ、奥行き２５０〜５００ｍｍの範囲にある。好ましくは長さ１０００ｍｍ〜２０００ｍｍ、２００ｍｍ〜５００ｍｍ、奥行き３００〜４００ｍｍである。
フラッシュパネルの複数枚の積み重ねは、長尺のものを上段、下段にして、中間部に２〜５箇所に、狭幅のものを１〜５段に組み立てる創作的組立棚である。
【考案の効果】
【０００７】
本考案は、上下多段に家電等を載置できるようにした組立式の家電、書籍の収納棚に関するものであり、厚みのあるフラッシュパネルの側面に意匠性の無垢板を貼り合わせ、このフラッシュパネル複数枚を自由に積み重ねて構成されることを特徴とすることで、身近な場所に創作的組立家具を提供することが可能となった。
【考案を実施するための最良の形態】
【０００８】
一般に家庭用家具において、本考案品を収納棚として用いることで自由に組立のできる創作的組立家具を提供する。
【実施例１】
【０００９】
図１は厚さ７０ｍｍ、幅２３７０ｍｍ、奥行き３９０ｍｍのフラッシュパネルの側面に厚さ５ｍｍの天然木無垢材をフラッシュパネルの厚さと同寸法の幅とし、四方に天然木無垢材の面材を貼ることで意匠性、装飾性に優れたフラッシュパネルを作成することを実現させた。また、フラッシュパネルの上面、下面に様々な板材を使用することにより、装飾性、創作性に優れたものを提供することができる。
【００１０】
図２においては、図１とは異なる寸法の厚さ７０ｍｍ、幅２７０ｍｍ、奥行き３９０ｍｍのフラッシュパネルであり、製造方法は同じである。サイズの異なるフラッシュパネルを図３、図４のように様々な形状に組み上げることにより創作的組立家具を提供することを実現させた。テレビを載せた場合にはデザイン的にも落ち着き感をもち、家電を載せるテレビボードとしての機能を発揮した。
【実施例２】
【００１１】
図５では実施例１とは異なる寸法でフラッシュパネルを製作し、同様に四方に天然木無垢材の面材を貼ることで意匠性、装飾性に優れたフラッシュパネルを作成し、組み上げることにより様々なサイズに対応できる創作的組立家具を提供することを実現させた。また、フラッシュパネルの上面、下面に様々な板材を使用することにより、装飾性、創作性に優れたものを提供することができる。本を載せた場合にはデザイン的にも落ち着き感をもち、本を載せる本棚としての機能を発揮した。
【図面の簡単な説明】
【００１２】
【図１】フラッシュパネル構造
【図２】異なる寸法のフラッシュパネル
【図３】創作的組立家具への使用例１
【図４】創作的組立家具への使用例２
【図５】異なる寸法の創作的組立家具への使用例
【符号の説明】
【００１３】
１  フラッシュパネル（長寸法）
２  厚さ５ｍｍの天然木無垢面材
３  合成板
４  フラッシュパネル（短寸法）
【図１】
0003133038.tif 000003
【図２】
0003133038.tif 000004
【図３】
0003133038.tif 000005
【図４】
0003133038.tif 000006
【図５】
0003133038.tif 000007